【手続補正書】
【提出日】令和3年4月28日(2021.4.28)
【手続補正１】
【補正対象書類名】特許請求の範囲
【補正対象項目名】全文
【補正方法】変更
【補正の内容】
【特許請求の範囲】
【請求項１】
液体を収容する液体容器であって、
少なくとも、第１部材、第２部材及び第３部材で形成され、
前記第１部材及び前記第２部材が突き合わされて嵌合することにより形成される第１嵌合部及び第２嵌合部と、前記第１部材及び前記第２部材に、前記第１部材及び前記第２部材の嵌合方向に対して交差する方向に前記第３部材が突き合わされて嵌合することにより形成される第３嵌合部と、を備え、
前記第１嵌合部及び前記第２嵌合部は、嵌合方向の自由度を有し、
前記第３嵌合部は、前記第１嵌合部及び前記第２嵌合部の嵌合方向と交差する嵌合方向の自由度を有することを特徴とする液体容器。
【請求項２】
前記第１嵌合部は、前記第１部材及び前記第２部材の嵌合方向で、かつ、前記液体容器の内面に沿う方向から見て交差する方向に隙間が形成される第１狭小部を有し、
前記第２嵌合部は、前記第１部材及び前記第２部材の嵌合方向で、かつ、前記液体容器の内面に沿う方向に隙間が形成される第２狭小部を有し、
前記第３嵌合部は、前記第１部材及び前記第２部材の嵌合方向に対して交差する方向で、かつ、前記液体容器の内面に沿う方向から見て交差する方向に隙間が形成される第３狭小部を有し、
前記第１狭小部と前記第３狭小部との間に前記第２狭小部が介在し、かつ、前記第２狭小部で前記第１狭小部及び前記第３狭小部が連続し、
前記液体容器の底部及び前記底部の周辺から前記液体容器の深さ方向に延びる壁部の内側は、少なくとも前記第３部材で形成される、請求項１に記載の液体容器。
【請求項３】
前記第１部材及び前記第２部材の一方の部材は、前記液体容器の内面に沿う方向に突出した第１突出部と、前記第１突出部に形成された第１凹部と、を有し、
前記第１部材及び前記第２部材の他方の部材は、前記第１突出部に嵌合する第２凹部と、前記第２凹部に形成され、前記第１凹部に嵌合する第２突出部と、を有し、
前記第３部材は、前記第１部材及び前記第２部材に嵌合する第３突出部を有し、
前記第１突出部と前記第１凹部とが嵌合することにより前記第１狭小部が形成され、
前記第２突出部と前記第２凹部とが嵌合することにより前記第２狭小部が形成され、
前記第１部材及び前記第２部材と、前記第３突出部とが嵌合することにより前記第３狭小部が形成される、請求項２に記載の液体容器。
【請求項４】
前記第１部材及び前記第２部材の一方の部材は、前記液体容器の内面に沿う方向に突出した第１突出部と、前記第１突出部に形成され、前記液体容器の内面に沿って形成された第２突出部と、を有し、
前記第１部材及び前記第２部材の他方の部材は、前記第１突出部に嵌合する第１凹部と、前記第１凹部に形成され、前記第２突出部に嵌合する第２凹部と、を有し、
前記第３部材は、前記第１部材及び前記第２部材に嵌合する第３凹部を有し、
前記第１突出部と前記第１凹部とが嵌合することにより前記第１狭小部が形成され、
前記第２突出部と前記第２凹部とが嵌合することにより前記第２狭小部が形成され、
前記第１部材及び前記第２部材と、前記第３凹部とが嵌合することにより前記第３狭小部が形成される、請求項２に記載の液体容器。
【請求項５】
前記液体容器は、多角形に形成された前記底部と、前記底部に沿って形成された前記壁部と、を備え、
前記底部の反対側が開口された、請求項２〜４のいずれか１項に記載の液体容器。
【請求項６】
前記液体容器は、前記底部が四角形に形成され、前記底部に沿って前記壁部が四角枠に形成されている、請求項５に記載の液体容器。
【請求項７】
前記液体容器は、前記底部の反対側の前記開口が閉じられた、
請求項５〜６のいずれか１項に記載の液体容器。
【請求項８】
前記第１狭小部、前記第２狭小部、前記第３狭小部の隙間の値をＧＡＰとすると、前記ＧＡＰが以下の式を満たす、請求項２〜７のいずれか１項に記載の液体容器。
ＧＡＰ≦２σ・ｃｏｓθ／（ρ・ｇ・ｄ）
但し、σは収容する液体の表面張力であり、θは収容する液体の接触角であり、ρは収容する液体の密度であり、ｇは重力加速度であり、ｄは収容する前記液体容器の液面の高さである。
【請求項９】
前記第１部材及び前記第２部材の他方の部材は、放射状に形成され、
前記放射状に形成された他方の部材に前記第１部材及び前記第２部材の一方の部材が嵌合することにより、前記一方の部材が放射状に延出され、
前記一方の部材うち、隣接する一方の部材間に前記第３部材が嵌合する、請求項１〜８のいずれか１項に記載の液体容器。
【請求項１０】
前記一方の部材は、前記他方の部材に嵌合することにより放射状に延びる第１接合部と、嵌合した側の反対側から、前記第１接合部に対して交差する方向に延びる第２接合部と、を有し、
前記第３部材は、前記第１接合部に嵌合する第１平坦部と、前記第２接合部に嵌合する第２平坦部と、を有する、請求項９に記載の液体容器。
【請求項１１】
前記液体が溶融ガラスである、請求項１〜１０のいずれか１項に記載の液体容器。
【請求項１２】
前記液体が溶融金属である、請求項１〜１０のいずれか１項に記載の液体容器。
【請求項１３】
請求項１〜１０のいずれか１項に記載の液体容器に収容した溶融ガラスを使用すること
を特徴とするガラス物品の製造方法。
【請求項１４】
請求項１〜１０のいずれか１項に記載の液体容器によって溶融金属を収容し、該溶融金属上に溶融ガラスを浮かべて成形することを特徴とするガラス物品の製造方法。
【手続補正２】
【補正対象書類名】明細書
【補正対象項目名】発明の名称
【補正方法】変更
【補正の内容】
【発明の名称】液体容器及びガラス物品の製造方法
【手続補正３】
【補正対象書類名】明細書
【補正対象項目名】０００１
【補正方法】変更
【補正の内容】
【０００１】
本発明は、液体容器及びガラス物品の製造方法に関する。
【手続補正４】
【補正対象書類名】明細書
【補正対象項目名】０００５
【補正方法】変更
【補正の内容】
【０００５】
本発明は以下の態様を有する。
［１］液体を収容する液体容器であって、少なくとも、第１部材、第２部材及び第３部材で形成され、前記第１部材及び前記第２部材が突き合わされて嵌合することにより形成される第１嵌合部及び第２嵌合部と、前記第１部材及び前記第２部材に、前記第１部材及び前記第２部材の嵌合方向に対して交差する方向に前記第３部材が突き合わされて嵌合することにより形成される第３嵌合部と、を備え、前記第１嵌合部及び前記第２嵌合部は、嵌合方向の自由度を有し、前記第３嵌合部は、前記第１嵌合部及び前記第２嵌合部の嵌合方向と交差する嵌合方向の自由度を有する液体容器。
［２］前記第１嵌合部は、前記第１部材及び前記第２部材の嵌合方向で、かつ、前記液体容器の内面に沿う方向から見て交差する方向に隙間が形成される第１狭小部を有し、前記第２嵌合部は、前記第１部材及び前記第２部材の嵌合方向で、かつ、前記液体容器の内面に沿う方向に隙間が形成される第２狭小部を有し、前記第３嵌合部は、前記第１部材及び前記第２部材の嵌合方向に対して交差する方向で、かつ、前記液体容器の内面に沿う方向から見て交差する方向に隙間が形成される第３狭小部を有し、前記第１狭小部と前記第３狭小部との間に前記第２狭小部が介在し、かつ、前記第２狭小部で前記第１狭小部及び前記第３狭小部が連続し、前記液体容器の底部及び前記底部の周辺から前記液体容器の深さ方向に延びる壁部の内側は、少なくとも前記第３部材で形成される、[１]の液体容器。
［３］前記液体容器に収容した溶融ガラスを使用することを特徴とするガラス物品の製造方法。
［４］前記液体容器によって溶融金属を収容し、該溶融金属上に溶融ガラスを浮かべて成形することを特徴とするガラス物品の製造方法。